(57)【特許請求の範囲】
【請求項１】
紙幣を搬送する搬送部と、
前記搬送部に設けられ紙幣の記番号を読み取る鑑別部と、
前記鑑別部で読み取られた前記記番号を保存する記憶部と、
前記鑑別部において一旦記番号が読み取られた後に前記搬送部により前記鑑別部へ搬送され再度記番号が読み取られる予定の紙幣の記番号を前記記憶部に記憶させると共に削除対象記番号として設定し、前記記憶部に記憶された記番号のうち、前記削除対象記番号として設定された記番号を、入金可能紙幣と判定された後に削除する制御部と
を有する紙幣取引装置。
【請求項２】
前記制御部は、前記鑑別部により読み取られ前記記憶部に保存された前記紙幣の記番号と、前記鑑別部により読み取られたものの前記記憶部へは保存されなかった前記紙幣の記番号とを提示部に提示する
請求項１に記載の紙幣取引装置。
【請求項３】
前記制御部は、前記記憶部に保存された前記紙幣の記番号に重複する記番号が存在する場合、重複する記番号が前記記憶部に保存されていることを前記提示部に提示する
請求項２に記載の紙幣取引装置。
【請求項４】
前記制御部は、前記紙幣の搬送状況に応じて、前記鑑別部において再度記番号が読み取られる予定の紙幣の記番号を前記記憶部に保存させない
請求項１に記載の紙幣取引装置。
【請求項５】
前記鑑別部は、前記紙幣の状態を鑑別し、
前記制御部は、入金できないと前記鑑別部において判定され、外部と紙幣の授受を行う紙幣入出金部へ戻される入金不可紙幣の記番号を前記記憶部へ保存させない
請求項４に記載の紙幣取引装置。
【請求項６】
前記制御部は、前記入金不可紙幣を前記紙幣入出金部から前記鑑別部へ搬送させ再度記番号を読み取らせる
請求項５に記載の紙幣取引装置。
【請求項７】
前記制御部は、入金できると前記鑑別部において判定された入金可能紙幣を、紙幣を一時的に保留する一時保留部へ搬送させて収納させ、当該入金可能紙幣の記番号を前記記憶部に保存させる
請求項６に記載の紙幣取引装置。
【請求項８】
前記制御部は、紙幣を一時的に保留する一時保留部から紙幣を収納する収納庫へ向けて前記紙幣を搬送させる際に、前記鑑別部において記番号を取得した後に障害が発生した場合、前記一時保留部へ戻した紙幣の記番号を前記記憶部へ保存させない
請求項４に記載の紙幣取引装置。
【請求項９】
前記制御部は、前記一時保留部から前記収納庫へ向けて前記紙幣を搬送させて収納させた紙幣の記番号を前記記憶部に保存させる
請求項８に記載の紙幣取引装置。
【請求項１０】
前記制御部は、取引中に前記鑑別部において一旦記番号が読み取られた後に前記搬送部により前記鑑別部へ搬送され再度記番号が読み取られる予定の紙幣の記番号を前記記憶部に記憶させると共に削除対象記番号として設定し、前記記憶部に記憶された記番号のうち、前記削除対象記番号として設定された記番号を取引終了時に削除する
請求項１に記載の紙幣取引装置。
【請求項１１】
紙幣を搬送する搬送部と、
前記搬送部に設けられ紙幣の記番号を読み取る鑑別部と、
前記鑑別部で読み取られた前記記番号を保存する記憶部と、
取引中に前記鑑別部において一旦記番号が読み取られた後に前記搬送部により前記鑑別部へ搬送され再度記番号が読み取られる予定の紙幣の記番号を前記記憶部に記憶させると共に削除対象記番号として設定し、前記記憶部に記憶された記番号のうち、前記削除対象記番号として設定された記番号を取引終了時に削除する制御部と
を有する紙幣取引装置。
【発明の詳細な説明】
【技術分野】
【０００１】
本発明は紙幣取引装置に関し、例えば紙幣等の媒体を投入して所望の取引を行う現金自動取引装置（ＡＴＭ：Automatic Teller Machine）等に適用して好適なものである。
【背景技術】
【０００２】
従来、金融機関や店舗等で使用される現金自動取引装置等においては、顧客との取引内容に応じて、例えば顧客に紙幣や硬貨等の現金を入金させ、また顧客へ現金を出金する。現金自動取引装置としては、例えば顧客との間で紙幣の授受を行う紙幣入出金部と、投入された紙幣の金種及び真偽を鑑別すると共に紙幣の記番号を識別する鑑別部と、投入された紙幣を一時的に保留する一時保留部と、紙幣を搬送する搬送部と、金種毎に紙幣を格納するリサイクル庫とを有するものがある。
【０００３】
このような現金自動取引装置には、紙幣が鑑別部を通過する際に当該紙幣の記番号を読み取り取得するものがある（例えば、特許文献１参照）。
【先行技術文献】
【特許文献】
【０００４】
【特許文献１】特開２０１０−２８２５３５号公報
【発明の概要】
【発明が解決しようとする課題】
【０００５】
そのような現金自動取引装置においては、１回の取引中に１枚の紙幣が鑑別部を複数回通過することがあると、その度に記番号を取得して保存するため、同一の紙幣の記番号を重複して保存してしまい、実際に取引した紙幣の枚数と、保存した記番号の個数とが相違してしまい、信頼性を保てない可能性があった。
【０００６】
本発明は以上の点を考慮してなされたもので、信頼性を高め得る紙幣取引装置を提案しようとするものである。
【課題を解決するための手段】
【０００７】
かかる課題を解決するため本発明の紙幣取引装置においては、紙幣を搬送する搬送部と、搬送部に設けられ紙幣の記番号を読み取る鑑別部と、鑑別部で読み取られた記番号を保存する記憶部と、鑑別部において一旦記番号が読み取られた後に搬送部により鑑別部へ搬送され再度記番号が読み取られる予定の紙幣の記番号を記憶部に記憶させると共に削除対象記番号として設定し、記憶部に記憶された記番号のうち、削除対象記番号として設定された記番号を、入金可能紙幣と判定された後に削除する制御部とを設けるようにした。
【０００８】
この紙幣取引装置は、同一紙幣の記番号を複数個保存することを防止することができる。
【発明の効果】
【０００９】
本発明によれば、同一紙幣の記番号を複数個保存することを防止することができる。かくして本発明は、信頼性を高め得る紙幣取引装置を実現できる。
【図面の簡単な説明】
【００１０】
【図１】現金自動取引装置の構成を示す斜視図である。
【図２】現金自動取引装置の制御構成を示すブロック図である。
【図３】紙幣入出金機の構成を示す左側面図である。
【図４】入金処理手順を示すフローチャートである。
【図５】収納処理手順を示すフローチャートである。
【図６】出金処理手順を示すフローチャートである。
【図７】リジェクト紙幣収納処理手順を示すフローチャートである。
【図８】入金処理における紙幣の経路を示す略線図である。
【図９】収納処理における紙幣の経路を示す略線図である。
【図１０】出金処理における紙幣の経路を示す略線図である。
【図１１】リジェクト紙幣収納処理における紙幣の経路を示す略線図である。
【図１２】重複記番号削除確認画面を示す略線図である。
【発明を実施するための形態】
【００１１】
以下、発明を実施するための形態（以下実施の形態とする）について、図面を用いて説明する。
【００１２】
［１．実施の形態］
［１−１．現金自動取引装置の構成］
図１に外観を示すように、現金自動取引装置１は、箱状の筐体２を中心に構成されており、例えば金融機関等に設置され、顧客との間で入金取引や出金取引等の現金に関する取引を行う。筐体２は、その前側に顧客が対峙した状態で紙幣の投入やタッチパネルによる操作等をしやすい箇所に接客部３が設けられている。
【００１３】
接客部３は、カード入出口４、入出金口５、操作表示部６、テンキー７及びレシート発行口８が設けられており、顧客との間で現金や通帳等を直接やり取りすると共に、取引に関する情報の通知や操作指示の受付を行う。カード入出口４は、キャッシュカード等の各種カードが挿入又は排出される部分である。カード入出口４の奥側には、各種カードに磁気記録された口座番号等の読み取りを行う図２に示すカード処理部１１が設けられている。入出金口５は、顧客が入金する紙幣が投入されると共に、顧客へ出金する紙幣が排出される部分である。また入出金口５は、シャッタを駆動することにより開放又は閉塞する。操作表示部６は、取引に際して操作画面を表示するＬＣＤ（Liquid Crystal Display）と、取引の種類の選択、暗証番号や取引金額等を入力するタッチパネルとが一体化されている。テンキー７は、「０」〜「９」の数字等の入力を受け付ける物理的なキーであり、暗証番号や取引金額等の入力操作時に用いられる。レシート発行口８は、取引処理の終了時に取引内容等を印字したレシートを発行する部分である。因みにレシート発行口８の奥側には、レシートに取引内容等を印字するレシート処理部（図示せず）が設けられている。
【００１４】
筐体２内には、現金自動取引装置１全体を統括制御する主制御部９や、紙幣に関する種々の処理を行う紙幣入出金機１０等が設けられている。主制御部９は、図示しないＣＰＵ（Central Processing Unit）を中心に構成されており、ＲＯＭ（Read Only Memory）、ＲＡＭ（Random Access Memory）、ハードディスクドライブやフラッシュメモリ等でなる記憶部３０から所定のプログラムを読み出して実行することにより、各部を制御して入金取引や出金取引等の種々の処理を行う。
【００１５】
以下では、現金自動取引装置１のうち利用者が対峙する側を前側とし、その反対を後側とし、当該前側に対峙した利用者から見て左及び右をそれぞれ左側及び右側とし、さらに上側及び下側を定義して説明する。
【００１６】
［１−２．紙幣入出金機の内部構成］
紙幣入出金機１０は、図２及び図３に示すように、制御部１２が各部（紙幣入出金部１６、搬送部２４、鑑別部１８、一時保留部２０、リサイクル庫２６、リジェクト庫２８及び取忘れ庫２２）を統括制御する。
【００１７】
制御部１２は、図示しないＣＰＵを中心に構成されており、ＲＯＭ、ＲＡＭ、ハードディスクドライブやフラッシュメモリ等でなる記憶部１４から所定のプログラムを読み出して実行することにより、各部を制御して入金取引や出金取引等の種々の処理を行う。記憶部１４は、鑑別部１８が紙幣を鑑別した鑑別結果及び紙幣の記番号の識別結果や、紙幣の枚数を計数した計数結果等を取引情報と合わせて記憶する。
【００１８】
紙幣入出金機１０の内部には、上側に紙幣入出金部１６、紙幣の金種や真偽を判定する鑑別部１８及び入金紙幣等を一時的に保留する一時保留部２０等が設けられている。
【００１９】
紙幣入出金部１６は、顧客から投入された紙幣を１枚ずつ分離し搬送部２４へ繰り出す。また紙幣入出金部１６は、搬送部２４へ繰り出す紙幣と、入金不可紙幣として紙幣入出金部１６へ戻された紙幣とを分別して保持する。また紙幣入出金部１６は、当該紙幣入出金部１６内部において、搬送部２４へ繰り出す紙幣が存在するか否かを検出する図示しない紙幣検知センサが設けられている。
【００２０】
搬送部２４は、図示しないローラやベルト等により、図中太線で示す搬送路に沿って長方形の紙幣を短手方向に搬送する。搬送部２４は、鑑別部１８を前後方向に挿通させるように紙幣を搬送し、当該鑑別部１８の後側と一時保留部２０及び紙幣入出金部１６とをそれぞれ接続している。また搬送部２４は、鑑別部１８の前側と紙幣入出金部１６、リサイクル庫２６、リジェクト庫２８及び取忘れ庫２２とを接続している。搬送部２４の分岐点には、セレクタ（図示せず）が設けられており、制御部１２の制御に基づき回動することにより、紙幣の搬送先を切り替える。この搬送部２４には、紙幣を検出する紙幣検出センサが複数箇所に設けられており、紙幣の検出結果を制御部１２へ送出する。
【００２１】
鑑別部１８は、その内部で紙幣を搬送しながら、光学素子や磁気検出素子等を用いて当該紙幣の金種及び真偽、並びに損傷の程度等（正損）を鑑別し、その鑑別結果を制御部１２へ通知する。また鑑別部１８は、撮像した紙幣の画像データから、紙幣毎に付与されその紙幣の一面に予め印刷された英数字等で構成された紙幣識別情報である記番号を読み取り識別する。このとき鑑別部１８は、識別した字を識別結果として制御部１２へ通知する。これに応じて制御部１２は、取得した鑑別結果及び識別結果に基づいて紙幣の搬送先を決定する。
【００２２】
一時保留部２０は、入金時に顧客が紙幣入出金部１６へ投入した紙幣を一時的に保留し、鑑別部１８で入金可能と鑑別された入金可能紙幣を入金が確定するまで一時的に保留する。一方、入金不可と鑑別された入金不可紙幣は紙幣入出金部１６へ排出される。また一時保留部２０は、出金時において鑑別部１８で出金不可能と鑑別された出金不可紙幣を、出金可能な紙幣が出金されるまで一時的に保留し、その後当該出金不可紙幣をリジェクト庫２８へ排出する。
【００２３】
また紙幣入出金機１０の内部には、下側に金種別のリサイクル庫２６と、鑑別部１８において破損した紙幣（いわゆる損券）と鑑別された紙幣、偽造券と判別された紙幣及び５千券や２千券等の還流されない金種の紙幣を格納するリジェクト庫２８と、取引時に顧客が紙幣入出金部１６から取り忘れた紙幣を回収して格納する取忘れ庫２２とが設けられている。リサイクル庫２６、リジェクト庫２８及び取忘れ庫２２は、紙幣入出金機１０に設けられたスロットに着脱自在に構成されている。リサイクル庫２６は、収納排出機構により、搬送部２４から搬送されてきた紙幣を取り込んで収納すると共に、収納されている紙幣を排出して搬送部２４へ供給する。
【００２４】
かかる構成において現金自動取引装置１は、鑑別部１８による紙幣の鑑別結果及び識別結果等をもとに主制御部９及び制御部１２が各部を制御して、紙幣の入金処理及び出金処理等を行う。
【００２５】
［１−３．入金処理］
次に、現金自動取引装置１による入金処理の具体的な処理手順について、図４に示すフローチャートを用いて詳細に説明する。なお図８乃至図１１においては、紙幣入出金機１０内部を簡略化して図示している。
【００２６】
紙幣入出金機１０の制御部１２は、顧客が入金取引を行う場合、記憶部１４から入金処理プログラムを読み出して実行することにより図４に示す入金処理手順ＲＴ１を開始し、ステップＳＰ１へ移る。ステップＳＰ１において制御部１２は、入出金口５のシャッタを開いて紙幣入出金部１６内へ紙幣を投入させ、当該紙幣を１枚ずつ鑑別部１８へ搬送することにより鑑別させて鑑別結果を取得し、ステップＳＰ２へ移る。ステップＳＰ２において制御部１２は、鑑別部１８において紙幣の記番号を識別させて識別結果を取得して入金処理における当該紙幣の記番号として記憶部１４に記憶し、ステップＳＰ３へ移る。ステップＳＰ３において制御部１２は、鑑別部１８において紙幣の枚数を計数させて、計数結果を取得して記憶部１４に記憶し、ステップＳＰ４へ移る。
【００２７】
ステップＳＰ４において制御部１２は、鑑別結果が正常であるか否かを判定する。ここで肯定結果が得られると、このことは鑑別結果が正常であったため紙幣が入金可能紙幣であることを表し、このとき制御部１２はステップＳＰ５へ移る。ステップＳＰ５において制御部１２は、図８に示すようにセレクタ（図示せず）をルートＲ１へ切り替え、紙幣を鑑別部１８から一時保留部２０へ搬送してステップＳＰ９へ移る。一方ステップＳＰ４において否定結果が得られると、このことは紙幣が入金不可紙幣であることを表し、このとき制御部１２はステップＳＰ６へ移る。ステップＳＰ６において制御部１２は、図８に示すようにセレクタ（図示せず）をルートＲ２へ切り替え、紙幣を鑑別部１８から紙幣入出金部１６へ搬送してステップＳＰ７へ移る。
【００２８】
ステップＳＰ７において制御部１２は、リトライオーバーが発生したか否かを判定する。ここで、現金自動取引装置１においては、鑑別部１８において入金不可紙幣であると判定され紙幣入出金部１６へ戻された紙幣は、リトライ上限枚数に達するまで再度鑑別部１８へ搬送されて再鑑別（リトライ）される。再鑑別された紙幣の枚数（リトライ回数）がリトライ上限枚数に達すると、リトライオーバーが発生する。ステップＳＰ７において否定結果が得られると、このことはリトライオーバーが発生していないため紙幣入出金部１６から後続の紙幣を繰り出すことを表し、このとき制御部１２はステップＳＰ８へ移る。ステップＳＰ８において制御部１２は、現在紙幣入出金部１６へ戻された紙幣における記憶部１４に記憶されている記番号を、後の処理において記憶部１４から削除される削除対象記番号として設定し、ステップＳＰ９へ移る。ここで制御部１２は、リトライオーバーが発生し紙幣入出金部１６へ戻された紙幣の記番号は、削除対象記番号として設定しない。
【００２９】
ステップＳＰ９において制御部１２は、紙幣検知センサにより紙幣入出金部１６内に搬送部２４へ繰り出すべき紙幣が存在するか否かを判定する。ここで肯定結果が得られると、このことは投入された紙幣が未だ紙幣入出金部１６に残留していることを表し、このとき制御部１２はステップＳＰ１へ戻り、紙幣入出金部１６から次の紙幣を搬送部２４へ繰り出す。一方ステップＳＰ９において否定結果が得られると、このことは投入された全ての紙幣を紙幣入出金部１６から搬送部２４へ繰り出したことを表し、このとき制御部１２はステップＳＰ１０へ移る。一方、ステップＳＰ７において肯定結果が得られると、このことはリトライオーバーが発生したため紙幣入出金部１６から後続の紙幣を繰り出さないことを表し、このとき制御部１２はステップＳＰ１０へ移る。
【００３０】
ステップＳＰ１０において制御部１２は、記憶部１４に重複して記憶された記番号である重複記番号のうち、ステップＳＰ８において削除対象記番号として設定された記番号を削除することにより、入金処理において入金不可紙幣と判定され紙幣入出金部１６へ戻された紙幣の再鑑別を行ったために複数回取得した同一の紙幣の記番号のうち、最後に取得した記番号のみを記憶部１４に残し、入金処理においてそれ以前に取得した当該紙幣の記番号を削除し、ステップＳＰ１１へ移る。
【００３１】
ステップＳＰ１１において制御部１２は、削除した記番号の個数だけ紙幣の計数結果を減算し、ステップＳＰ１２へ移り、入金処理手順ＲＴ１を終了する。
【００３２】
このように入金処理において現金自動取引装置１は、鑑別部１８で一旦記番号を読み取った入金不可紙幣をリトライオーバーが発生するまでは鑑別部１８において再鑑別するため、鑑別部１８を通過する度に紙幣の記番号を取得することとなり、入金処理において同一の紙幣の記番号を複数回取得する可能性がある。
【００３３】
これに対し現金自動取引装置１は、入金可能紙幣が搬送される一時保留部２０とは異なる搬送先である紙幣入出金部１６へ搬送され、その後再度鑑別部１８において記番号を読み取られる予定の入金不可紙幣の記番号を削除対象記番号として設定し記憶部１４から削除することにより、実際に計数した紙幣の枚数と、保存した記番号の個数とを同一にすることができる。
【００３４】
［１−４．収納処理］
次に、現金自動取引装置１による収納処理の具体的な処理手順について、図５に示すフローチャートを用いて詳細に説明する。紙幣入出金機１０の制御部１２は、上述した入金処理の後に収納処理を行う際、記憶部１４から収納処理プログラムを読み出して実行することにより図５に示す収納処理手順ＲＴ２を開始し、ステップＳＰ２１へ移る。ステップＳＰ２１において制御部１２は、入金処理において一時保留部２０に保持した紙幣を鑑別部１８へ搬送することにより鑑別させて鑑別結果を取得し、ステップＳＰ２２へ移る。ステップＳＰ２２において制御部１２は、鑑別部１８において紙幣の記番号を識別させて識別結果を取得して収納処理における当該紙幣の記番号として記憶部１４に記憶し、ステップＳＰ２３へ移る。ステップＳＰ２３において制御部１２は、鑑別部１８において紙幣の枚数を計数させて、計数結果を取得して記憶部１４に記憶し、ステップＳＰ２４へ移る。
【００３５】
ステップＳＰ２４において制御部１２は、鑑別結果が正常であるか否かを判定する。ここで肯定結果が得られると、このことは鑑別結果が正常であったため紙幣がリサイクル可能紙幣であることを表し、このとき制御部１２はステップＳＰ２５へ移る。ステップＳＰ２５において制御部１２は、図９に示すようにセレクタ（図示せず）をルートＲ３へ切り替え、紙幣を鑑別部１８から各リサイクル庫２６へ向けて搬送してステップＳＰ２７へ移る。一方ステップＳＰ２４において否定結果が得られると、このことは紙幣がリサイクル不可紙幣であることを表し、このとき制御部１２はステップＳＰ２６へ移る。ステップＳＰ２６において制御部１２は、図９に示すようにセレクタ（図示せず）をルートＲ４へ切り替え、紙幣を鑑別部１８からリジェクト庫２８へ向けて搬送してステップＳＰ２７へ移る。
【００３６】
ステップＳＰ２７において制御部１２は、鑑別部１８を通過しリサイクル庫２６又はリジェクト庫２８へ向かう紙幣にジャム等の障害が発生したか否かを判定する。ここで否定結果が得られると、制御部１２はステップＳＰ３０へ移る。一方ステップＳＰ２７において肯定結果が得られると、このとき制御部１２はステップＳＰ２８へ移り、紙幣の搬送を停止させ、当該紙幣を一時保留部２０へ戻し、ステップＳＰ２９へ移る。ステップＳＰ２９において制御部１２は、現在一時保留部２０へ戻された紙幣における記憶部１４に記憶されている記番号を、後の処理において記憶部１４から削除される削除対象記番号として設定し、エラー処理を行った後にステップＳＰ２１へ移り、再度当該紙幣を一時保留部２０から繰り出して鑑別部１８へ搬送する。
【００３７】
一方ステップＳＰ３０において制御部１２は、一時保留部２０内に鑑別部１８へ搬送すべき紙幣が存在するか否かを判定する。ここで肯定結果が得られると、このことは入金処理において一時保留部２０に収納された紙幣が未だ一時保留部２０に残留していることを表し、このとき制御部１２はステップＳＰ２１へ戻り、一時保留部２０から次の紙幣を搬送部２４へ繰り出す。一方ステップＳＰ３０において否定結果が得られると、このことは全ての紙幣を一時保留部２０から搬送部２４へ繰り出したことを表し、このとき制御部１２はステップＳＰ３１へ移る。
【００３８】
ステップＳＰ３１において制御部１２は、記憶部１４に重複して記憶された記番号である重複記番号のうち、ステップＳＰ２９において削除対象記番号として設定された記番号を削除することにより、収納処理において障害が発生し再鑑別を行ったために複数回取得した同一の紙幣の記番号のうち、最後に取得した記番号のみを記憶部１４に残し、収納処理においてそれ以前に取得した当該紙幣の記番号を削除し、ステップＳＰ３２へ移る。
【００３９】
ステップＳＰ３２において制御部１２は、削除した記番号の個数だけ紙幣の計数結果を減算し、ステップＳＰ３３へ移り、収納処理手順ＲＴ２を終了する。
【００４０】
このように収納処理において現金自動取引装置１は、収納庫としてのリジェクト庫２８又はリサイクル庫２６へ搬送する際鑑別部１８で一旦記番号を読み取った後に障害が発生し一時保留部２０へ戻した紙幣を鑑別部１８において再鑑別するため、鑑別部１８を通過する度に紙幣の記番号を取得することとなり、収納処理において同一の紙幣の記番号を複数回取得する可能性がある。
【００４１】
これに対し現金自動取引装置１は、鑑別部１８で記番号が読み取られた後に一旦一時保留部２０へ戻されその後再度鑑別部１８において記番号を読み取られる予定の紙幣の記番号を削除対象記番号として設定し記憶部１４から削除することにより、実際に収納した紙幣の枚数と、保存した記番号の個数とを同一にすることができる。
【００４２】
［１−５．出金処理］
次に、現金自動取引装置１による出金処理の具体的な処理手順について、図６に示すフローチャートを用いて詳細に説明する。紙幣入出金機１０の制御部１２は、顧客が出金取引を行う場合、記憶部１４から出金処理プログラムを読み出して実行することにより図６に示す出金処理手順ＲＴ３を開始し、ステップＳＰ４１へ移る。ステップＳＰ４１において制御部１２は、顧客により操作表示部６を介して出金取引が選択され出金金額が入力されると、要求金額に応じて必要な金種毎の紙幣枚数を認識し、出金枚数のカウントを開始し、ステップＳＰ４２へ移る。
【００４３】
ステップＳＰ４２において制御部１２は、要求金額に応じた金種毎の紙幣枚数に応じて各リサイクル庫２６から紙幣を繰り出して鑑別部１８へ搬送することにより鑑別させて鑑別結果を取得し、ステップＳＰ４３へ移る。ステップＳＰ４３において制御部１２は、鑑別部１８において紙幣の記番号を識別させて識別結果を取得して出金処理における当該紙幣の記番号として記憶部１４に記憶し、ステップＳＰ４４へ移る。ステップＳＰ４４において制御部１２は、鑑別部１８において紙幣の枚数を計数させて、計数結果を取得して記憶部１４に記憶し、ステップＳＰ４５へ移る。
【００４４】
ステップＳＰ４５において制御部１２は、鑑別結果が正常であるか否かを判定する。ここで肯定結果が得られると、このことは鑑別結果が正常であったため紙幣が出金可能紙幣であることを表し、このとき制御部１２はステップＳＰ４６へ移る。ステップＳＰ４６において制御部１２は、出金枚数のカウントを１だけ増加させ、ステップＳＰ４７へ移る。ステップＳＰ４７において制御部１２は、図１０に示すようにセレクタ（図示せず）をルートＲ５へ切り替え、紙幣を鑑別部１８から紙幣入出金部１６へ搬送してステップＳＰ５０へ移る。
【００４５】
一方ステップＳＰ４５において否定結果が得られると、このことは紙幣が出金不可紙幣であることを表し、このとき制御部１２はステップＳＰ４８へ移る。ステップＳＰ４８において制御部１２は、図１０に示すようにセレクタ（図示せず）をルートＲ６へ切り替え、紙幣を鑑別部１８から一時保留部２０へ搬送してステップＳＰ４９へ移る。ステップＳＰ４９において制御部１２は、現在一時保留部２０へ収納された紙幣における記憶部１４に記憶されている記番号を、後の処理において記憶部１４から削除される削除対象記番号として設定し、ステップＳＰ５０へ移る。
【００４６】
ステップＳＰ５０において制御部１２は、要求金額に応じた紙幣の枚数に出金枚数のカウントが達したか否かを判定する。ここで否定結果が得られると、このことは要求金額に応じた紙幣の枚数分の紙幣を未だ紙幣入出金部１６へ集積させていないことを表し、このとき制御部１２はステップＳＰ４２へ戻り、リサイクル庫２６から次の紙幣を鑑別部１８へ繰り出す。一方ステップＳＰ５０において肯定結果が得られると、このことは要求金額に応じた紙幣の枚数分の紙幣を紙幣入出金部１６へ集積させたことを表し、このとき制御部１２はシャッタを開け、紙幣入出金部１６内に集積されている紙幣を利用者に受け渡すことにより出金し、ステップＳＰ５１へ移り出金処理手順ＲＴ３を終了する。
【００４７】
［１−６．リジェクト紙幣収納処理］
次に、現金自動取引装置１によるリジェクト収納処理の具体的な処理手順について、図７に示すフローチャートを用いて詳細に説明する。紙幣入出金機１０の制御部１２は、上述した出金処理の後にリジェクト紙幣収納処理を行う際、記憶部１４からリジェクト紙幣収納処理プログラムを読み出して実行することにより図７に示すリジェクト紙幣収納処理手順ＲＴ４を開始し、ステップＳＰ６１へ移る。ステップＳＰ６１において制御部１２は、出金処理において一時保留部２０に保持した紙幣を鑑別部１８へ搬送することにより鑑別させて鑑別結果を取得し、ステップＳＰ６２へ移る。
【００４８】
ステップＳＰ６２において制御部１２は、鑑別部１８において紙幣の記番号を識別させて識別結果を取得してリジェクト紙幣収納処理における当該紙幣の記番号として記憶部１４に記憶し、ステップＳＰ６３へ移る。ステップＳＰ６３において制御部１２は、鑑別部１８において紙幣の枚数を計数させて、計数結果を取得して記憶部１４に記憶し、ステップＳＰ６４へ移る。ステップＳＰ６４において制御部１２は、鑑別結果が正常であるか否かを判定する。ここで肯定結果が得られると、このことは鑑別結果が正常であったため紙幣がリサイクル可能紙幣であることを表し、このとき制御部１２はステップＳＰ６５へ移る。ステップＳＰ６５において制御部１２は、図１１に示すようにセレクタ（図示せず）をルートＲ７へ切り替え、紙幣を鑑別部１８から各リサイクル庫２６へ向けて搬送してステップＳＰ６７へ移る。一方ステップＳＰ６４において否定結果が得られると、このことは紙幣がリサイクル不可紙幣であることを表し、このとき制御部１２はステップＳＰ６６へ移る。ステップＳＰ６６において制御部１２は、図１１に示すようにセレクタ（図示せず）をルートＲ８へ切り替え、紙幣を鑑別部１８からリジェクト庫２８へ向けて搬送してステップＳＰ６７へ移る。
【００４９】
ステップＳＰ６７において制御部１２は、鑑別部１８を通過しリサイクル庫２６又はリジェクト庫２８へ向かう紙幣にジャム等の障害が発生したか否かを判定する。ここで否定結果が得られると、制御部１２はステップＳＰ７０へ移る。一方ステップＳＰ６７において肯定結果が得られると、このとき制御部１２はステップＳＰ６８へ移り、紙幣の搬送を停止させ、当該紙幣を一時保留部２０へ戻し、ステップＳＰ６９へ移る。ステップＳＰ６９において制御部１２は、現在一時保留部２０へ戻された紙幣における記憶部１４に記憶されている記番号を、後の処理において記憶部１４から削除される削除対象記番号として設定し、エラー処理を行った後にステップＳＰ６１へ移り、再度当該紙幣を一時保留部２０から繰り出して鑑別部１８へ搬送する。
【００５０】
一方ステップＳＰ７０において制御部１２は、一時保留部２０内に鑑別部１８へ搬送すべき紙幣が存在するか否かを判定する。ここで肯定結果が得られると、このことは出金処理において一時保留部２０に収納された紙幣が未だ一時保留部２０に残留していることを表し、このとき制御部１２はステップＳＰ６１へ戻り、一時保留部２０から次の紙幣を搬送部２４へ繰り出す。一方ステップＳＰ７０において否定結果が得られると、このことは全ての紙幣を一時保留部２０から搬送部２４へ繰り出したことを表し、このとき制御部１２はステップＳＰ７１へ移る。
【００５１】
ステップＳＰ７１において制御部１２は、記憶部１４に重複して記憶された記番号である重複記番号のうち、出金処理手順ＲＴ３（図６）のステップＳＰ４９及びリジェクト紙幣収納処理手順ＲＴ４のステップＳＰ６９において削除対象記番号として設定された記番号を削除することにより、出金処理において一時保留部２０へ収納された紙幣がその後リジェクト庫２８又はリサイクル庫２６へ搬送される際再度鑑別部１８を通過するために複数回取得した同一の紙幣の記番号と、リジェクト紙幣収納処理において障害が発生し再鑑別を行ったために複数回取得した同一の紙幣の記番号とのうち、最後に取得した当該紙幣記番号のみを記憶部１４に残し、出金処理及びリジェクト紙幣収納処理においてそれ以前に取得した記番号を削除し、ステップＳＰ７２へ移る。
【００５２】
ステップＳＰ７２において制御部１２は、削除した記番号の個数だけ紙幣の計数結果を減算し、ステップＳＰ７３へ移り、リジェクト紙幣収納処理手順ＲＴ４を終了する。
【００５３】
このように出金処理及びリジェクト紙幣収納処理において現金自動取引装置１は、鑑別部１８で一旦記番号を読み取った出金不可紙幣をリジェクト庫２８又はリサイクル庫２６へ搬送する際鑑別部１８において再鑑別するため、鑑別部１８を通過する度に紙幣の記番号を取得することとなり、出金処理において同一の紙幣の記番号を複数回取得する可能性がある。
【００５４】
これに対し現金自動取引装置１は、出金可能紙幣が搬送される紙幣入出金部１６とは異なる搬送先である一時保留部２０へ搬送され、その後再度鑑別部１８において記番号を読み取られる予定の出金不可紙幣の記番号を削除対象記番号として設定し記憶部１４から削除することにより、実際に計数した紙幣の枚数と、保存した記番号の個数とを同一にすることができる。
【００５５】
またリジェクト紙幣収納処理において現金自動取引装置１は、リジェクト庫２８又はリサイクル庫２６へ搬送する際鑑別部１８で一旦記番号を読み取った後に障害が発生し一時保留部２０へ戻した紙幣を鑑別部１８において再鑑別するため、鑑別部１８を通過する度に紙幣の記番号を取得することとなり、リジェクト収納処理において同一の紙幣の記番号を複数回取得する可能性がある。
【００５６】
これに対し現金自動取引装置１は、鑑別部１８で記番号が読み取られた後に一旦一時保留部２０へ戻されその後再度鑑別部１８において記番号を読み取られる予定の紙幣の記番号を削除対象記番号として設定し記憶部１４から削除することにより、実際に収納した紙幣の枚数と、保存した記番号の個数とを同一にすることができる。
【００５７】
［１−７．重複記番号削除確認画面］
制御部１２は、所定の取引である入金処理において記憶部１４に記憶された紙幣の記番号を確認するよう行員により操作表示部６を介して操作されると、図１２に示す重複記番号削除確認画面ＤＩＰ１を提示部としての操作表示部６に表示させる。この重複記番号削除確認画面ＤＩＰ１は、行員により選択された取引において記憶部１４に保存された記番号と、削除された記番号とを行員に確認させる画面であり、記憶部１４に保存された記番号を提示する保存記番号表示部Ａ１と、一旦記憶部１４に記憶されたものの削除対象記番号として設定されたために記憶部１４から削除された記番号を提示する削除記番号表示部Ａ２とが表示されている。このとき保存記番号表示部Ａ１に提示される記番号の個数は、紙幣の計数結果と同一となる。行員は、保存記番号表示部Ａ１に提示された記番号を確認し、実際の紙幣と間違いがないか確認することにより、所定の取引における紙幣の記番号を実際の紙幣と対応付けて確実に確認することができる。
【００５８】
また重複記番号削除確認画面ＤＩＰ１は記憶部１４に保存された記番号のうち重複した記番号を提示する重複記番号表示部Ａ３が表示されている。このように記憶部１４に削除されずに保存されている重複した記番号が付された紙幣は、偽造券の可能性が高いため、行員は、重複記番号表示部Ａ３に提示された記番号を確認することにより、偽造券の可能性が高い紙幣を認識することができる。
【００５９】
［１−８．効果］
従来、記憶部１４に重複する記番号が保存されていた場合、鑑別部１８を複数回通過した同一の紙幣の記番号を複数個保存したのか、又は、異なる紙幣（例えば偽造券）の同一記番号を複数個保存したのかを判別できなかった。また例えば入金処理において、顧客が１０枚の紙幣を投入したにも拘らず、１１個以上の記番号が保存されていると、投入した紙幣の枚数と、保存した記番号の個数とが相違してしまっていた。
【００６０】
これに対し現金自動取引装置１は、鑑別部１８において一旦記番号が読み取られた後に再度鑑別部１８において記番号が読み取られる予定の紙幣の記番号を削除対象記番号として設定し、削除対象記番号として設定された記番号をその後記憶部１４から削除することにより保存しないようにした。
【００６１】
これにより現金自動取引装置１は、同一紙幣の記番号を複数個保存することを防止し、１個だけ保存することができ、実際に計数した紙幣の枚数と、保存した記番号の個数とを同一にすることができる。
【００６２】
また、記番号を重複して保存しないために、記憶部１４に既に記憶されている記番号と同一の記番号を鑑別部１８において読み取った場合、記憶部１４に既に記憶されている記番号を削除することも考えられる。しかしながら同一の紙幣であっても、最初に鑑別部１８において読み取られた記番号の識別結果と、それ以降に鑑別部１８において読み取られた記番号の識別結果とが同一になるとは限らないため、そのような方法では、同一の紙幣が鑑別部１８を複数回通過することにより読み取った複数個の記番号のうち、最後に読み取った記番号よりも前に読み取った記番号を正確に削除することができない可能性がある。
【００６３】
これに対し現金自動取引装置１は、例えば入金処理においては一時保留部２０へ搬送した紙幣の記番号は削除対象記番号として設定しない一方、紙幣入出金部１６へ搬送しその後再鑑別する予定の紙幣の記番号は削除対象記番号として設定するようにした。すなわち現金自動取引装置１は、紙幣の搬送状況に応じて、記番号を削除するようにした。これにより現金自動取引装置１は、同一の紙幣が鑑別部１８を複数回通過することにより読み取った複数個の記番号のうち、最後に読み取った記番号よりも前に読み取った記番号を正確に削除することができる。
【００６４】
また現金自動取引装置１は、同一の記番号を記憶した場合に一方の記番号を削除するわけではないため、同一の記番号が付された偽造券の記番号が複数個記憶部１４に保存される可能性がある。これに対し現金自動取引装置１は、重複記番号削除確認画面ＤＩＰ１の重複記番号表示部Ａ３において、重複して保存されている記番号を行員に提示するようにしたことにより、偽造券の可能性が高い紙幣を行員に認識させることができる。
【００６５】
以上の構成によれば現金自動取引装置１は、紙幣を搬送する搬送部２４と、搬送部２４に設けられ紙幣の記番号を読み取る鑑別部１８と、鑑別部１８で読み取られた記番号を保存する記憶部１４と、鑑別部１８において一旦記番号が読み取られた後に搬送部２４により鑑別部１８へ搬送され再度記番号が読み取られる予定の紙幣の記番号を記憶部１４に保存させない制御部１２とを設けるようにした。これにより現金自動取引装置１は、同一紙幣の記番号を複数個保存することを防止することができる。
【００６６】
［２．他の実施の形態］
なお上述した実施の形態においては、紙幣の記番号を鑑別部１８で１枚ずつ読み取る度に、削除対象とする場合削除対象記番号を設定し、入金処理、収納処理、出金処理又はリジェクト紙幣収納処理を完了させる際、削除対象記番号が設定された記番号をまとめて記憶部１４から削除する場合について述べた。本発明はこれに限らず、紙幣の記番号を鑑別部１８で１枚ずつ読み取る度に、削除対象となる記番号をそもそも記憶部１４に記憶させないようにしても良い。
【００６７】
また上述した実施の形態においては、重複記番号削除確認画面ＤＩＰ１を操作表示部６に表示させる場合について述べた。本発明はこれに限らず、重複記番号削除確認画面ＤＩＰ１に対応する内容を例えばレシートに印字してレシート発行口８から発行する等、種々の方法で行員に提示しても良い。
【００６８】
さらに本発明においては、重複記番号削除確認画面ＤＩＰ１において重複記番号表示部Ａ３を表示させる際、削除されずに記憶部１４に保存されている重複した記番号が付された紙幣は偽造券の可能性が高いことを行員に提示しても良い。
【００６９】
さらに上述した実施の形態においては、記憶部１４に予め記憶させておいた入金処理プログラム、収納処理プログラム、出金処理プログラム及びリジェクト紙幣収納処理プログラムを読み出して実行する場合について述べた。本発明はこれに限らず、例えばＵＳＢ（Universal Serial Bus）等のインタフェースやＩＥＥＥ(Institute of Electrical and Electronics Engineers)８０２．３ａｂ等のネットワーク、或いはＣＤ−ＲＯＭ（Compact Disc-Read Only Memory）等の外部記憶媒体を介して、外部から入金処理プログラム、収納処理プログラム、出金処理プログラム及びリジェクト紙幣収納処理プログラムを取得して実行しても良い。
【００７０】
さらに上述した実施の形態においては、現金を取引する現金自動取引装置１において、媒体としての紙幣の記番号を読み取る場合に本発明を適用する場合について述べた。本発明はこれに限らず、例えば商品券や金券、入場券等のような薄い紙状の媒体に付された固有な識別字を読み取る種々の装置に本発明を適用しても良い。また、例えば紙幣を入出する紙幣入出金機や紙幣を所定枚数毎に施封する施封小束支払機等、紙幣や硬貨の取引に関する種々の処理を行う複数種類の装置の組み合わせにより構成された現金処理装置に本発明を適用してもよい。
【００７１】
さらに上述した実施の形態においては、搬送部としての搬送部２４と、鑑別部としての鑑別部１８と、記憶部としての記憶部１４と、制御部としての制御部１２とによって、紙幣取引装置としての現金自動取引装置１を構成する場合について述べた。本発明はこれに限らず、その他種々の構成でなる搬送部と、鑑別部と、記憶部と、制御部とによって、紙幣取引装置を構成しても良い。
【産業上の利用可能性】
【００７２】
本発明は、紙幣の記番号を判別し管理する種々の装置でも利用できる。
【符号の説明】
【００７３】
１……現金自動取引装置、２……筐体、３……接客部、４……カード入出口、５……入出金口、６……操作表示部、７……テンキー、８……レシート発行口、９……主制御部、１０……紙幣入出金機、１１……カード処理部、１２……制御部、１４……記憶部、１６……紙幣入出金部、１８……鑑別部、２０……一時保留部、２２……取忘れ庫、２４……搬送部、２６……リサイクル庫、２８……リジェクト庫、３０……記憶部、ＤＩＰ１……重複記番号削除確認画面、Ａ１……保存記番号表示部、Ａ２……削除記番号表示部、Ａ３……重複記番号表示部。
【図１】
0006503678.tif 000002
【図２】
0006503678.tif 000003
【図３】
0006503678.tif 000004
【図４】
0006503678.tif 000005
【図５】
0006503678.tif 000006
【図６】
0006503678.tif 000007
【図７】
0006503678.tif 000008
【図８】
0006503678.tif 000009
【図９】
0006503678.tif 000010
【図１０】
0006503678.tif 000011
【図１１】
0006503678.tif 000012
【図１２】
0006503678.tif 000013